(57)【要約】【課題】本発明によれば、付着物除去手段の取り替えが充分容易に行うことのできる。【解決手段】本発明の付着物除去装置（２）は、付着物除去体（４）と、ローラ（１２６ａ）に関連せしめて配置された、付着物除去体を着脱自在に装着するフレーム（６）とを具備する。付着物除去体はローラの外周面に当接する除去部材（８）と、内側垂下壁（１０）及び外側垂下壁（１２）を有する取付部（１４）とを備えている。フレームは装着壁（２２）を有し、装着壁の先端部（２４）は先端部が位置せしめられている側におけるローラの回転方向と対向する方向に延在している。【選択図】        図２
2004250145.tif 000002
【特許請求の範囲】
【請求項１】
ローラの外周面から付着物を取り除く付着物除去装置にして、
付着物除去体と、該ローラに関連せしめて配置された、該付着物除去体を着脱自在に装着するフレームとを具備し、
該付着物除去体は該ローラの外周面に当接する除去部材と、内側垂下壁及び外側垂下壁を有する取付部とを備え、
該フレームは装着壁を有し、該装着壁の先端部は該先端部が位置せしめられている側における該ローラの回転方向と対向する方向に延在しており、
該付着物除去体の該内側垂下壁を該ローラの外周面に対向せしめ、該フレームの該装着壁における該先端部に該付着物除去体の該内側垂下壁と該外側垂下壁との間を上方から挟み込むと、該付着物除去体が該フレームに装着せしめられ、
該付着物除去体を上方に強制すると、該フレームの該装着壁における該先端部から該付着物除去体の該内側垂下壁と該外側垂下壁との間が引き抜かれ、該付着物除去体が該フレームから離脱せしめられる、
ことを特徴とする付着物除去装置。
【請求項２】
該除去部材はブラシ部材或いはスポンジ部材で構成されている、請求項１記載の付着物除去装置。
【請求項３】
該内側垂下壁の長さＬ１は該外側垂下壁の長さＬ２よりも短くせしめられている、請求項１又は２記載の付着物除去装置。
【請求項４】
該内側垂下壁には長手方向に間隔をおいて第一の切欠部が設けられており、該外側垂下壁にも長手方向に間隔をおいて該内側垂下壁の該第一の切欠部と互い違いに第二の切欠部が設けられている、請求項１乃至３記載の付着物除去装置。
【請求項５】
該フレームの該装着壁における該先端部には長手方向に間隔をおいて第三の切欠部が設けられている、請求項１乃至４記載の付着物除去装置。
【発明の詳細な説明】
【０００１】
【発明の属する技術分野】
本発明は、ローラの外周面から付着物を取り除く付着物除去装置に関する。
【０００２】
【従来の技術】
例えば、ファクシミリ或いは複写械などの画像形成機においては、用紙の給紙経路に配置されたレジストローラ対の一方のローラに付着物である紙粉を除去するために付着物除去装置が適用されている。この種の付着物除去装置は付着物除去体と、ローラに関連して配置された、付着物除去体を装着するフレームとを具備している。フレームはローラの外周面に対向して配置された開口部を有し、かかる開口部に付着物除去体が突出するように収容されている。付着物除去体には、付着物手段がフレームの開口部に収容された際に、ローラの外周面に当接する除去部材と、回転するローラの外周面と除去部材との摩擦によって付着物除去体が回動する方向にフレームとの間で係合可能な係合部とが設けられている。かように構成された紙粉取り装置を開示している先行文献の典型例は、下記特許文献１を挙げることができる。
【０００３】
【特許文献１】
特許第３２５１１７１号公報
【０００４】
【発明が解決しようとする課題】
然るに、上記特許第３２５１１７１号公報に開示されている付着物除去装置では、付着物除去体がフレームの開口部及びローラによって囲繞されているが故に、付着物除去体の定期交換の際に付着物除去体を開口部に収容するフレームを画像形成機の本体から一旦離脱せしめ、次いでフレームから付着物除去体を取り外すか、或いは付着物除去体を収容するフレームの開口部をローラの外周面から離隔し、次いでフレームから付着物除去体を取り外す必要があり、付着物除去体を交換することが必ずしも容易でない。
【０００５】
本発明は上記事実に鑑みてなされたものであり、その主たる技術的課題は、付着物除去体の取り替えが充分容易に行うことのできる、新規且つ改良された付着物除去装置を提供することである。
【０００６】
【課題を解決するための手段】
本発明によれば、上記主たる技術的課題を達成するために、ローラの外周面から付着物を取り除く付着物除去装置にして、
付着物除去体と、該ローラに関連せしめて配置された、該付着物除去体を着脱自在に装着するフレームとを具備し、
該付着物除去体は該ローラの外周面に当接する除去部材と、内側垂下壁及び外側垂下壁を有する取付部とを備え、
該フレームは装着壁を有し、該装着壁の先端部は該先端部が位置せしめられている側における該ローラの回転方向と対向する方向に延在しており、
該付着物除去体の該内側垂下壁を該ローラの外周面に対向せしめ、該フレームの該装着壁における該先端部に該付着物除去体の該内側垂下壁と該外側垂下壁との間を上方から挟み込むと、該付着物除去体が該フレームに装着せしめられ、
該付着物除去体を上方に強制すると、該フレームの該装着壁における該先端部から該付着物除去体の該内側垂下壁と該外側垂下壁との間が引き抜かれ、該付着物除去体が該フレームから離脱せしめられる、
ことを特徴とする付着物除去装置が提供される。
【０００７】
好ましくは、該除去部材はブラシ部材或いはスポンジ部材で構成されている。該内側垂下壁の長さＬ１は該外側垂下壁の長さＬ２よりも短くせしめられていることが好適である。該内側垂下壁には長手方向に間隔をおいて第一の切欠部が設けられており、該外側垂下壁にも長手方向に間隔をおいて該内側垂下壁の該第一の切欠部と互い違いに第二の切欠部が設けられていることが好ましい。望ましくは、該フレームの該装着壁における該先端部には長手方向に間隔をおいて第三の切欠部が設けられている。
【０００８】
【発明の実施形態】
以下、本発明に従って構成された付着物除去装置の好適実施形態を図示している添付図面を参照して、更に詳細に説明する。
【０００９】
図１には本発明による付着物除去装置が適用される画像形成機の一典型例が図示されている。全体を番号１００で示す画像形成機は矢印１０２で示す方向に回転する感光体ドラム１０４を備えている。かかる感光体ドラム１０４の周囲には、感光体ドラム１０２の外周面を所定の極性に一様に帯電させる主帯電器１０６、一様に帯電された感光体ドラム１０４の外周面を画像情報に対応したレーザ光で走査することにより静電潜像を形成するレーザスキャニングＬＳＵ、感光体ドラム１０４の外周面に形成された静電潜像をトナー像に現像する現像装置１０８、感光体ドラム１０４の外周面に現像されたトナー像を普通紙などの用紙に転写する転写ローラ１１０、転写後の感光体ドラム１０４の外周面に残留するトナーを回収するためのクリーニング装置１１２等が配置されている。
【００１０】
画像形成械１０２には矢印１１４で示す方向に用紙を搬送する給紙経路１１６が備えられており、給紙経路１１６には、給紙ローラ１１８を有する、用紙を収容する供紙カセット１２０と、用紙の重送を防止する用紙分離機構１２２と、搬送ローラ対１２４と、所定のタイミングで用紙を搬送するレジストローラ対１２６と、感光体ドラム１０２の外周面から用紙にトナー像を転写する転写部１２８と、トナー像が転写された用紙にトナー像を定着する定着ローラ対１３０と、排出ローラ対１３２とが、かかる順序で上流端から下流側に向かって配設されている。かように構成された画像形成機１０２においては、用紙の給紙経路１１６に配置されたレジストローラ対１２６の一方のローラ１２６ａの外周面から付着物である紙粉を除去する付着物除去装置２が配設されている。
【００１１】
図２乃至図４を参照して説明を続けると、本発明の付着物除去装置２は付着物除去体４と、ローラ１２６ａに関連せしめて配置された、付着物除去体４を着脱自在に装着せしめるフレーム６とを具備している。図示の実施形態における付着物除去体４は付着物除去体４がフレーム６に装着された際にローラ１２６ａの外周面に当接する除去部材８と、内側垂下壁１０及び外側垂下壁１２を有する取付部１４とを備えている。付着物除去体４の除去部材８はフェルト状のアクリル系繊維でよいブラシ部材或いはスポンジ部材から構成されているのが好適である。付着物除去体４の取付部１４は、図２及び図３を比較参照すると理解されるように平板部材を長手方向に沿って屈曲せしめた形状をしており、その内角部には長手方向に間隔をおいて複数の補強片１６が設けられている。取付部１４の内側垂下壁１０及び外側垂下壁１２は互いに平行に垂下している。内側垂下壁１０の長さＬ１は該外側垂下壁の長さＬ２よりも短くせしめられているのが好ましい。内側垂下壁１０には長手方向に間隔をおいて第一の切欠部１８が設けられており、外側垂下壁１２にも長手方向に間隔をおいて内側垂下壁１０の第一の切欠部１８と互い違いに第二の切欠部２０が設けられているのが好適である。図示の実施形態におけるフレーム６は、その上端部に装着壁２２と、かかる装着壁２２の両端部から延びる両端壁２４（図３には片側しか図示していない）と、連結壁２６と、連結壁２６によって連結されている付加壁２８と、上記ローラ１２６ａの軸部１２６ｂを回転自在に装着せしめる軸受け部３０とを有する。装着壁２２には開口部３２が設けられており、かかる開口部３２から屈曲せしめられた付加壁２８の下端部が延出せしめられている。装着壁２２は屈曲せしめられており、その先端部２４は先端部２４が位置せしめられている側におけるローラ１２６ａの回転方向と対向する方向に延在せしめられている。かかる装着壁２２の先端部２４の厚さは上述した付着物除去体４の内側垂下壁１０と外側垂下壁１２との間と実質上同一である。かように構成された装着壁２２の先端部２４には長手方向に間隔をおいて第三の切欠部３４が設けられているのが好適である。装着壁２２が屈曲せしめられている部位の内角側には支持部３６が設けられている。
【００１２】
付着物除去体４をフレーム６に装着する際においては、付着物除去体４の内側垂下壁１０をローラ１２６ａの外周面に対向せしめ、フレーム５の装着壁２２における先端部２４に付着物除去体４の内側垂下壁１０と外側垂下壁１２との間を上方から挟み込むと、付着物除去体４の除去部８がローラ１２６ａの外周面に当接せしめられ、付着物除去体４の内側垂下壁１０の下端が装着壁２２が屈曲せしめられている部位の内角側に配設せしめられている支持部に当接せしめられる。かくして、付着物除去体４がフレーム６に装着せしめられる。しかる後に、ローラ１２６ａが回転せしめられると、ローラ１２６ａの外周面に当接せしめられている付着物除去体４の除去部材８がローラ１２６ａの外周面から付着物である紙粉を除去する。かかる際に、ローラ１２６ａの外周面と除去部材８との摩擦力によって付着物除去体４がフレーム６に対して図２において下方に偏倚せしめられても、フレーム６の装着壁２２における先端部２４は先端部２４が位置せしめられている側におけるローラ１２６ａの回転方向と対向する方向に延在せしめられているが故に、付着物除去体４がフレーム６の装着壁２２における先端部２４から離脱せしめられることはない。
【００１３】
除去部材８に付着物である紙粉が堆積し、付着物除去体４をフレーム６から取り外し定期交換する際には、付着物除去体４を上方に強制すると、フレーム６の装着壁２２における先端部２４から付着物除去体４の内側垂下壁１０と外側垂下壁１２との間が引き抜かれ、付着物除去体４がフレーム６から離脱せしめられる。しかる後において、付着物除去体４の内側垂下壁１０をローラ１２６ａの外周面に対向せしめ、フレーム５の装着壁２２における先端部２４に付着物除去体４の内側垂下壁１０と外側垂下壁１２との間を上方から挟み込むと、付着物除去体４の除去部８がローラ１２６ａの外周面に当接せしめられ、付着物除去体４の内側垂下壁１０の下端が装着壁２２が屈曲せしめられている部位の内角側に配設せしめられている支持部に当接せしめられる。かくして付着物除去体４がフレームから取り外される。本発明の付着物除去装置２は上述されたように構成されているので、付着物除去体４の取り替えが充分容易におこなうことができる。
【００１４】
【発明の効果】
本発明によれば、付着物除去体の取り替えが充分容易におこなうことができる。
【図面の簡単な説明】
【図１】本発明の付着物除去装置が適用される画像形成装置の内部構成の一実施形態を示す概念図。
【図２】図１に図示する付着物除去装置の拡大部分断面図。
【図３】図１に図示する付着物除去装置の斜視図。
【図４】図１に図示する付着物除去装置における付着物除去体の部分拡大斜視図。
【符号の説明】
２：付着物除去装置
４：付着物除去体
６：フレーム
８：除去部材
１０：内側垂下壁
１２：外側垂下壁
１４：取付部
１８：第一の切欠部
２０：第二の切欠部
２２：装着壁
２４：先端部
３４：第三の切欠部
１２６ａ：ローラ
【図１】
2004250145.tif 000003
【図２】
2004250145.tif 000004
【図３】
2004250145.tif 000005
【図４】
2004250145.tif 000006